(57)【要約】      （修正有）【課題】ロックの解除操作と扉をフリー状態にする操作を同時に行うことができる安全柵を提供する。【解決手段】本考案の一態様に係る安全柵は、扉１０と、戸先枠２３と、保持部材３０と、ロック機構４０と、を備え、保持部材３０は、扉１０の上縁部分であって戸先枠２３の近傍に位置する角部を上から覆って扉１０を保持する保持位置と角部から離れて扉１０を保持しない開放位置との間で回動できるよう戸先枠２３に設けられているとともに、所定箇所に係止孔３５が形成されており、ロック機構４０は、保持部材３０が回動して保持位置に至ったとき、付勢されて係止孔３５に進入し、保持部材３０の回動を制限する係止片４１を有する。【選択図】図２
0003211337.tif 000002
【実用新案登録請求の範囲】
【請求項１】
扉と、
鉛直方向に延び、前記扉を開閉可能に支持する吊元枠と、
鉛直方向に延び、前記扉を基準にして前記吊元枠の反対側に位置する戸先枠と、
前記扉が閉じた状態で当該扉を保持する保持部材と、
前記扉が保持された状態を維持するロック機構と、を備え、
前記保持部材は、前記扉の上縁部分であって前記戸先枠の近傍に位置する角部を上から覆って前記扉を保持する保持位置と前記角部から離れて前記扉を保持しない開放位置との間で回動できるよう前記戸先枠に設けられているとともに、所定箇所に係止孔が形成されており、
前記ロック機構は、前記保持部材が回動して前記保持位置に至ったとき、付勢されて前記係止孔に進入し、前記保持部材の回動を制限する係止片を有する、安全柵。
【請求項２】
前記保持部材は、当該保持部材が前記保持位置にあるときに当該保持部材の回動中心よりも前記扉側に位置するハンドル部を有し、
前記保持部材が前記保持位置にあるときの前記ハンドル部の上面の鉛直方向位置を基準位置とすると、前記係止孔は前記基準位置よりも下方に位置し、前記基準位置から前記係止孔までの鉛直方向の距離が１２ｃｍ以下である、請求項１に記載の安全柵。
【請求項３】
前記係止片は前記戸先枠に設けられている、請求項２に記載の安全柵。
【請求項４】
前記保持部材の回動中心は前記戸先枠における前記係止片の上方に位置している、請求項３に記載の安全柵。
【考案の詳細な説明】
【技術分野】
【０００１】
本考案は、幼児やペットの通行又は侵入を規制する安全柵に関する。
【背景技術】
【０００２】
幼児やペットの通行又は侵入を規制する安全柵には、扉を備えたものがある（例えば特許文献１参照）。扉を備えた安全柵は、扉が簡単に開かないように、扉を閉じた状態で当該扉を保持する保持部材と、扉が保持された状態を維持する（ロックする）ロック機構とを備えていることが多い。
【先行技術文献】
【特許文献】
【０００３】
【特許文献１】特開２０１４−１６６２６２号公報
【考案の概要】
【考案が解決しようとする課題】
【０００４】
上記のような安全柵において扉を開けるには、ロック機構によるロックを解除した後、扉の保持を解消して扉を開閉可能の状態（フリー状態）にする必要がある。本考案は、以上のような事情に鑑みてなされたものであり、ロックの解除操作と扉をフリー状態にする操作を同時に行うことができる安全柵を提供することを目的としている。
【課題を解決するための手段】
【０００５】
本考案の一態様に係る安全柵は、扉と、鉛直方向に延び、前記扉を開閉可能に支持する吊元枠と、鉛直方向に延び、前記扉を基準にして前記吊元枠の反対側に位置する戸先枠と、前記扉が閉じた状態で当該扉を保持する保持部材と、前記扉が保持された状態を維持するロック機構と、を備え、前記保持部材は、前記扉の上縁部分であって前記戸先枠の近傍に位置する角部を上から覆って前記扉を保持する保持位置と前記角部から離れて前記扉を保持しない開放位置との間で回動できるよう前記戸先枠に設けられているとともに、所定箇所に係止孔が形成されており、前記ロック機構は、前記保持部材が回動して前記保持位置に至ったとき、付勢されて前記係止孔に進入し、前記保持部材の回動を制限する係止片を有する。
【０００６】
この構成によれば、扉を開く際、係止片を押し込みながら保持部材を開放位置に向かって回動させれば、ロックの解除操作と扉をフリー状態にする操作を同時に行うことができる。
【０００７】
上記の安全柵において、前記保持部材は、当該保持部材が前記保持位置にあるときに当該保持部材の回動中心よりも前記扉側に位置するハンドル部を有し、前記保持部材が前記保持位置にあるときの前記ハンドル部の上面の鉛直方向位置を基準位置とすると、前記係止孔は前記基準位置よりも下方に位置し、前記基準位置から前記係止孔までの鉛直方向の距離が１２ｃｍ以下となるようにしてもよい。
【０００８】
この構成によれば、実質的にハンドル部の近くに係止孔が形成されることになるため、使用者はハンドル部を握ったまま係止片を指先で押し込むことができる。その結果、ロックの解除操作と扉をフリー状態にする操作を片手で無理なく行うことができる。
【０００９】
また、上記の安全柵において、前記係止片は前記戸先枠に設けられていてもよい。
【００１０】
この構成によれば、係止片を容易に設置することができる。
【００１１】
さらに、上記の安全柵において、前記保持部材の回動中心は前記戸先枠における前記係止片の上方に位置するようにしてもよい。
【００１２】
この構成によれば、ハンドル部及び係止片（係止孔）の近傍に保持部材の回動中心が位置することになる。その結果、保持部材が回動する際に描く軌跡の範囲が小さくなり、使用者は保持部材の回動を容易に行うことができる。
【考案の効果】
【００１３】
上記の安全柵によれば、ロックの解除操作と扉をフリー状態にする操作を同時に行うことができる。
【図面の簡単な説明】
【００１４】
【図１】図１は、実施形態に係る安全柵の正面図である。
【図２】図２は、保持部材付近の拡大図であって、保持部材が保持位置にあるときの図である。
【図３】図３は、保持部材付近の拡大図であって、保持部材が解放位置にあるときの図である。
【図４】図４は、使用時における使用者の手と保持部材の位置関係を示した図である。
【考案を実施するための形態】
【００１５】
以下、本考案の一実施形態に係る安全柵１００について説明する。
【００１６】
＜安全柵の全体構造＞
まず、安全柵１００の全体構造について説明する。図１は、安全柵１００の正面図である。以下では、便宜上、図１における紙面左右方向を「幅方向」と称し、紙面に対して垂直な方向を「前後方向」と称し、紙面手前の方を「前方」と称して説明する。本実施形態に係る安全柵１００は、幼児やペットの通行又は侵入を規制するための柵であって、扉を備えたいわゆるドアパネルである。安全柵１００は、下方部分に脚を設けたり幅方向両側にサイドパネルを設けたりして自立させてもよく、通路の側壁に固定してもよい。
【００１７】
図１に示すように、安全柵１００は、扉１０と、扉枠２０と、保持部材３０と、ロック機構４０と、を備えている。以下、これらの構成について順に説明する。
【００１８】
扉１０は、中央部分に取り付けられたメッシュシート１１を含む扉本体１２と、扉本体１２の幅方向の一方側（紙面左側）の上方部分に設けられた被支持部材１３と、扉本体１２の下方部分に設けられた下軸部材１４と、扉本体１２の幅方向の他方側（紙面右側）の上方部分に設けられた角部材１５と、を有している。また、被支持部材１３は上軸部材１６を有しており、下軸部材１４と上軸部材１６はいずれも鉛直方向に延び、同軸上に配置されている。
【００１９】
扉枠２０は、上方に開口したＵ字状の形状を有しており、幅方向の一方側（紙面左側）の部分に位置し鉛直方向に延びる吊元枠２１と、下方部分に位置し幅方向（水平方向）に延びる下枠２２と、幅方向の他方側（紙面右側）の部分に位置し鉛直方向に延びる戸先枠２３とを有している。
【００２０】
吊元枠２１は、扉１０の上軸部材１６が挿入される受部材２４を有しており、受部材２４を介して扉１０を開閉可能に支持している。下枠２２は、吊元枠２１の下方部分と戸先枠２３の下方部分を連結し、上述した下軸部材１４を介して扉１０を開閉可能に支持している。戸先枠２３は、扉１０を基準にして吊元枠２１の反対側に位置しており、保持部材３０を回動可能に支持する回動支持部２５を有している。
【００２１】
保持部材３０は、扉１０が閉じた状態で、当該扉１０を保持する部材である。保持部材３０は、戸先枠２３に設けられており、扉１０を保持する保持位置（図２）と扉１０を保持しない開放位置（図３）との間で回動する。保持部材３０による扉１０の保持が解消されると、扉１０が開閉可能の状態（フリー状態）となる。保持部材３０の詳細については後述する。
【００２２】
ロック機構４０は、扉１０が保持された状態を維持する機構である。本実施形態のロック機構４０は、保持部材３０の回動を制限することにより、扉１０が保持された状態を維持する。ロック機構４０の詳細については後述する。
【００２３】
＜保持部材の詳細＞
次に、保持部材３０の詳細について説明する。図２は、保持部材３０付近の拡大図であって、保持部材３０が扉１０を保持する保持位置にあるときの図である。また、図３は、保持部材３０付近の拡大図であって、保持部材３０が扉１０を保持しない解放位置にあるときの図である。
【００２４】
ここで、保持部材３０を説明する前に、図３を参照して、扉１０の角部について説明する。ここでいう角部とは、扉１０の上縁部分であって戸先枠２３の近傍に位置する部分である。扉１０の角部には、前述した角部材１５が当該角部を覆うようにして取り付けられている。角部材１５は、角部材１５の剛性を高める厚みの大きい補強部１７と、補強部１７の戸先枠２３側に位置し補強部１７よりも鉛直方向の寸法及び前後方向の寸法が小さい先端部１８と、を有している。
【００２５】
引き続き、保持部材３０について説明する。保持部材３０は、前後方向に延びる断面における断面視において下方に開口する逆Ｕ字状の形状を有しており、図２に示すように、天板３１と、天板３１の前後方向両側に位置する一対の側板３２とを有している。ただし、天板３１は、保持部材３０の扉１０寄りの部分にのみ設けられており、戸先枠２３寄りの部分には設けられていない。図２において、保持部材３０のうち上端が一段高くなっている部分に天板３１が設けられており、一段低くなった部分には天板３１は設けられていない。つまり、保持部材３０のうち上端が一段低くなった部分は上方に開口している。
【００２６】
保持部材３０は、保持部材３０を回動させる際に使用者が握るハンドル部３３を有している。ハンドル部３３は、保持部材３０が保持位置（図２）にあるとき、保持部材３０の回動中心（後述する回動支持部２５）よりも扉１０側に位置している。保持部材３０が保持位置にあるときには、図２に示すように、ハンドル部３３が角部材１５の先端部１８を上から覆って扉１０を保持している。一方、保持部材３０が開放位置にあるときには、図３に示すように、ハンドル部３３は角部材１５から離れている。
【００２７】
また、保持部材３０は、前後方向両側の側板３２に形成された軸受孔３４を有している。前述した戸先枠２３の回動支持部２５は前後方向に延びる回動支持軸２６を有しており、この回動支持軸２６が軸受孔３４に挿入されている。これにより、保持部材３０は、回動支持軸２６を回動中心として保持位置（図２）と解放位置（図３）の間を回動することができる。なお、保持部材３０の回動中心である回動支持軸２６は、戸先枠２３のうち後述する係止片４１よりも上方の部分に位置している。
【００２８】
さらに、保持部材３０は、一方側の側板３２に形成された係止孔３５を有している。本実施形態では、前方側（図２の紙面手前側）の側板３２にのみ係止孔３５が形成されている。なお、図２に示すように、保持部材３０が保持位置にあるとき、係止孔３５は軸受孔３４からみて鉛直方向下方に位置している。
【００２９】
ここで、図２に示すように、保持部材３０が保持位置にあるときのハンドル部３３の上面の鉛直方向位置を基準位置とすると、係止孔３５は基準位置よりも下方に位置し、基準位置からの係止孔３５までの鉛直方向の距離Ｄが１２ｃｍ以下である。
【００３０】
＜ロック機構の詳細＞
次に、ロック機構４０の詳細について説明する。ロック機構４０は、保持部材３０の係止孔３５に侵入する係止片４１と、係止片４１を前後方向にガイドするガイド部材４２と、係止片４１を前方に付勢する図外の付勢部材と、を有している。また、係止片４１は先端が球状、又は、扉１０から離れるに従って軸方向寸法が大きくなるよう傾斜した形状を有している。なお、ロック機構４０は戸先枠２３に設けられている。
【００３１】
保持部材３０が解放位置から保持位置に向かって回動する際、保持部材３０が係止片４１の先端に接触すると、保持部材３０によって係止片４１は付勢部材の付勢力に抗して押し込まれる。そして、さらに保持部材３０が回動して保持位置に至ると、係止片４１は付勢部材により前方に向かって付勢され係止孔３５に進入する。係止片４１が係止孔３５に進入することにより、保持部材３０の回動は制限される。
【００３２】
＜使用例＞
続いて、本実施形態に係る安全柵１００の使用例について説明する。図４は、使用時における使用者の手と保持部材３０の位置関係を示した図である。本実施形態に係る安全柵１００によれば、保持部材３０に形成された係止孔３５に係止片４１に進入することによりロック状態となる。そのため、図４に示すように、使用者はハンドル部３３を握って保持部材３０を回動させながら係止片４１を指先で押し込めば扉１０はロックが解除されてフリー状態となる。つまり、本実施形態に係る安全柵１００によれば、ロックの解除操作と扉１０をフリー状態にする操作を同時に行うことができる。
【００３３】
しかも、係止孔３５は基準位置よりも下方であって基準位置からの鉛直方向の距離Ｄが１２ｃｍ以下である位置に位置している。そのため、使用者はハンドル部３３を握った状態で係止片４１を無理なく押し込むことができる。
【００３４】
また、本実施形態に係る安全柵１００は、係止片４１が戸先枠２３に設けられているため、係止片４１を容易に設置することができる。
【００３５】
さらに、本実施形態に係る安全柵１００では、保持部材３０の回動中心は戸先枠２３に設けられた係止片４１よりも上方の部分に位置している。これにより、保持部材３０の回動中心がハンドル部３３及び係止片４１の近傍に位置する。その結果、保持部材３０が回動する際に描く軌跡の範囲が小さくなり、使用者は保持部材３０の回動を容易に行うことができる。
【符号の説明】
【００３６】
１０  扉
２１  吊元枠
２３  戸先枠
３０  保持部材
３３  ハンドル部
３５  係止孔
４０  ロック機構
４１  係止片
１００  安全柵
Ｄ  基準位置から係止孔までの鉛直方向の距離
【図１】
0003211337.tif 000003
【図２】
0003211337.tif 000004
【図３】
0003211337.tif 000005
【図４】
0003211337.tif 000006